(57)【特許請求の範囲】
【請求項１】
裏面の所定位置に第一被連結具接続孔が形成された、鋼線からなる第一被連結具及び裏面の所定位置に第二被連結具接続孔が形成された、鋼線からなる第二被連結具を有する残存型枠パネルによって、屈折多面体壁を構築する際に使用する、鋼板からなる残存型枠パネル連結具であって、
前記残存型枠パネルに接触する側面と反対側の側面に形成された第一楔部及びこの第一楔部につながる第一ストッパー部を有する第一挿入部と、前記第一挿入部とつながる中間部と、前記中間部に回動可能に接続された第二挿入部と、を備え、
前記第一挿入部が前記残存型枠パネルに接触する側面と反対側の側面に平坦部を有し、前記第一楔部が前記平坦部よりも前記中間部側に形成され、
前記第一楔部は、少なくとも前記第一挿入部側から前記中間部側の方向に向けて幅が大きくなる第一傾斜部を有し、前記第一挿入部の側面に対する前記第一傾斜部の傾斜角が５度から８度の範囲であり、
前記第一ストッパー部は、前記平坦部側から前記中間部側に向けて傾斜する第一傾斜面を有し、前記第一挿入部の側面に対する前記第一傾斜面の傾斜角が１５度以上であり、
前記第一挿入部の前記第一傾斜部が、隣接した前記残存型枠パネルの前記第一被連結具の所定の位置まで挿入されると、前記第一被連結具が前記第一傾斜面と接し、前記第一挿入部は、少なくとも前記第一傾斜部を介して、前記第一被連結具と前記隣接した残存型枠パネルの背面との間で、前記第一被連結具の弾性撓み反力を受けることにより、前記隣接した残存型枠パネルの背面の所定の位置に緩みなく当接され、前記残存型枠パネルの施工途中に生じる作業工具の振動や衝撃により、前記第一挿入部が前記第一被連結具内で緩み、所定の位置からずれることを回避する、
ことを特徴とする残存型枠パネル連結具。
【請求項２】
前記第二挿入部が、前記残存型枠パネルに接触する側面と反対側の側面に第二楔部を有し、この第二楔部は、前記第二挿入部側から前記中間部側の方向に向けて幅が大きくなる第二傾斜部を有し、前記第二挿入部の側面に対する前記第二傾斜部の傾斜角は、５度から８度の範囲であり、
前記第二挿入部の前記第二傾斜部が、隣接した前記残存型枠パネルの前記第二被連結具の所定の位置まで挿入されると、前記第二挿入部は、少なくとも前記第二傾斜部を介して、前記第二被連結具と前記隣接した残存型枠パネルの背面との間で、前記第二被連結具の弾性撓み反力を受けることにより、前記隣接した残存型枠パネルの背面の所定の位置に緩みなく当接され、前記残存型枠パネルの施工途中に生じる作業工具の振動や衝撃により、前記第二挿入部が前記第二被連結具内で緩み、所定の位置からずれることを回避する、
ことを特徴とする請求項１に記載の残存型枠パネル連結具。
【請求項３】
請求項１又は請求項２に記載の残存型枠パネル連結具によって、隣接した残存型枠パネルが連結された残存型枠パネルの連結構造であって、
前記残存型枠パネルは、裏面の所定位置に前記第一被連結具接続孔が形成された前記第一被連結具、及び裏面の所定位置に前記第二被連結具接続孔が形成された前記第二被連結具を有し、
前記第一挿入部は、少なくとも前記第一傾斜部を介して、前記第一被連結具と前記隣接した残存型枠パネルの背面との間で、前記第一被連結具の弾性撓み反力を受け、かつ、前記第二挿入部が、前記隣接した残存型枠パネルの前記第二被連結具に挿入されたことで形成される、
ことを特徴とする残存型枠パネルの連結構造。
【発明の詳細な説明】
【技術分野】
【０００１】
本発明は、屈折多面体壁を構築するための残存型枠パネル連結具及び残存型枠パネルの連結構造に関するものである。
【背景技術】
【０００２】
従来から、壁面を構築する施工において、残存型枠パネルを積み重ねる際に、残存型枠パネル連結具が使用されている（例えば、特許文献１）。特許文献１に記載されている残存型枠パネル連結具は、裏面の上下左右に被連結具が設けられた型枠パネルを積み重ねる場合に使用される。この残存型枠パネル連結具は、一端側が所定位置に固定される支持杆の他端側に揺動可能に取り付けられた連結部の下側挿入部分を、下側の残存型枠パネルの被連結具へ上側から挿入し、嵌合させると、下側挿入部分の前端面が残存型枠パネルの裏面に当接する。そして、連結部の上側挿入部分を、上側の残存型枠パネルの被連結具へ下側から挿入すると、上側挿入部分が被連結具内に遊嵌し、上側挿入部分の前端面と残存型枠パネルの裏面との間に所定の間隔が生じる。
【０００３】
上記の残存型枠パネル連結具は、上側挿入部分を残存型枠パネルの被連結具内に間隔を確保して遊嵌させるため、下側の残存型枠パネルの前面（壁面）が５ｍｍ程度ずれていても、上側の残存型枠パネルの上端を前後へ移動させ、残存型枠パネルを積み重ねながら残存型枠パネルの前面を簡単に調整、修正することができる。そのため、この残存型枠パネル連結具を利用することで、残存型枠パネルの積み上げ作業を効率よく行うことができる。
【先行技術文献】
【特許文献】
【０００４】
【特許文献１】特許第３６８９３２４号公報
【発明の概要】
【発明が解決しようとする課題】
【０００５】
特許文献１に記載の残存型枠パネル連結具の下側挿入部分は、ハンマーで残存型枠パネル連結具の頭部を打撃することで、下側の残存型枠パネルの被連結金具に嵌合される。しかし、図１０に示すように、下側の残存型枠パネル１０１の被連結金具１０２に嵌合された残存型枠パネル連結具１０３の下側挿入部１０４は、施工途中に生じる作業工具の振動や衝撃等によって、被連結金具１０２内で緩んでしまい、ずれたり、傾いたりすることがあった。この場合、残存型枠パネル連結具１０３の上側挿入部１０５を、積み重ねる上側の残存型枠パネル１００の被連結金具１０６内に挿入するために、残存型枠パネル連結具１０３の位置を適切な位置に戻す必要があった。
そのため、作業者は、施工中に、できるだけ振動を生じさせないように配慮する必要があり、さらに、残存型枠パネル連結具１０３がずれてしまった場合、適切な位置に戻す修正作業が生じていた。
【０００６】
また、残存型枠パネル連結具がずれた状態で、上側の残存型枠パネルを積み重ねると、上側の残存型枠パネルと残存下側の型枠パネルとの間に隙間が生じる。そのため、残存型枠パネルの背面にコンクリートを打設すると、その隙間からコンクリートが残存型枠パネルの前面に漏れ出すことがあり、その場合は、大掛かりな修復作業が必要となる。
そのため、残存型枠パネルの積み重ね作業の効率化の観点から、施工途中に生じる作業工具の振動や衝撃等が生じた場合でも、下側挿入部分が下側の残存型枠パネルの被連結金具内でずれたり、傾いたりすることを確実に防止できる残存型枠パネル連結具の開発が強く望まれている。
【０００７】
また、屈折した多面体壁（以下、屈折多面体壁とも記す。）を構築する場合、隣接する残存型枠パネルの背面同士は、屈折した状態で接合しなければならない。この際、例えば、特許文献１に記載の残存型枠パネル連結具を使用すると、上側挿入部の残存型枠パネルと当接される面と下側挿入部の残存型枠パネルと当接される面は、ほぼ同一平面である条件に基づく連結金具であり、隣接する残存型枠パネル背面同士は屈折した状態で接合される屈折多面体壁構築用の連結金具としては、使用できない。
【０００８】
そこで、本発明は、残存型枠パネルの施工途中に生じる作業工具の振動や衝撃により、被連結具内の所定の位置からずれることを回避できるとともに、湾曲した壁面を構築する場合にも使用できる残存型枠パネル連結具及びその残存型枠パネル連結具を利用した残存型枠パネルの連結構造を提供することを目的とする。
【課題を解決するための手段】
【０００９】
本発明に係る残存型枠パネル連結具は、裏面の上側左右の所定位置に第一被連結具接続孔が形成された、鋼線からなる第一被連結具及び裏面の下側左右の所定位置に第二被連結具接続孔が形成された、鋼線からなる第二被連結具を有する残存型枠パネルによって、屈折多面体壁を構築する際に使用する、鋼板からなるものであって、残存型枠パネルに接触する側面と反対側の側面に第一楔部を有する第一挿入部と、第一挿入部とつながる中間部と、中間部に回動可能に接続された第二挿入部とを備え、第一楔部は、少なくとも第一挿入部側から中間部側の方向に向けて幅が大きくなる第一傾斜部を有し、第一挿入部の側面に対する第一傾斜部の傾斜角は、３度から１０度の範囲であり、第一挿入部の第一傾斜部が、隣接した残存型枠パネルの第一被連結具の所定の位置まで挿入されると、第一挿入部は、少なくとも第一傾斜部を介して、第一被連結具と隣接した残存型枠パネルの背面との間で、第一被連結具の弾性撓み反力を受けることにより、隣接した残存型枠パネルの背面の所定の位置に緩みなく当接され、残存型枠パネルの施工途中に生じる作業工具の振動や衝撃により、第一挿入部が第一被連結具内で緩み、所定の位置からずれることを回避することを特徴とする。
【００１０】
また、本発明に係る残存型枠パネル連結具は、第二挿入部が、残存型枠パネルに接触する側面と反対側の側面に第二楔部を有し、この第二楔部は、第二挿入部側から中間部側の方向に向けて幅が大きくなる第二傾斜部を有し、第二挿入部の側面に対する第二傾斜部の傾斜角は、３度から１０度の範囲であり、第二挿入部の第二傾斜部が、隣接した残存型枠パネルの第二被連結具の所定の位置まで挿入されると、第二挿入部は、少なくとも第二傾斜部を介して、第二被連結具と隣接した残存型枠パネルの背面との間で、第二被連結具の弾性撓み反力を受けることにより、隣接した残存型枠パネルの背面の所定の位置に緩みなく当接され、残存型枠パネルの施工途中に生じる作業工具の振動や衝撃により、第二挿入部が第二被連結具内で緩み、所定の位置からずれることを回避することを特徴とする。
【００１１】
本発明に係る残存型枠パネルの連結構造は、上記の残存型枠パネル連結具によって、隣接した残存型枠パネルが連結された構造であって、残存型枠パネルは、裏面の上側左右の所定位置に第一被連結具接続孔が形成された第一被連結具、及び裏面の下側左右の所定位置に第二被連結具接続孔が形成された第二被連結具を有し、第一挿入部は、少なくとも第一傾斜部を介して、第一被連結具と隣接した残存型枠パネルの背面との間で、第一被連結具の弾性撓み反力を受け、かつ、第二挿入部が、隣接した残存型枠パネルの第二被連結具に挿入されたことで形成されることを特徴とする。
【発明の効果】
【００１２】
本発明に係る残存型枠パネル連結具は、鋼板からなるものであり、残存型枠パネルに接触する側面と反対側の側面に第一楔部を有する第一挿入部と、この第一挿入部とつながる中間部と、この中間部に接続された第二挿入部とを備えている。そして、第一楔部は、第一挿入部側から中間部側の方向に向けて幅が大きくなる第一傾斜部を有し、第一挿入部の側面に対する第一傾斜部の傾斜角は、３度から１０度の範囲である。そのため、第一傾斜部が、隣接した残存型枠パネルの第一被連結具の所定の位置まで挿入されると、第一挿入部は、第一傾斜部を介して、第一被連結具と隣接した残存型枠パネルの背面との間で、第一被連結具の弾性撓み反力を受け、隣接した残存型枠パネルの背面の所定の位置に緩みなく当接され、残存型枠パネルの施工途中に生じる作業工具の振動や衝撃により、第一挿入部が前記第一被連結具内で緩み、所定の位置からずれることを回避できる。
【００１３】
また、本発明に係る残存型枠パネル連結具では、第一挿入部とつながる中間部に対し、第二挿入部が回動可能に接続されている。そのため、例えば、上側の残存型枠パネルと下側の残存型枠パネルを連結する際、下側の残存型枠パネルに対し、上側の残存型枠パネルが少し傾斜していても、第二挿入部を回動させ、第二挿入部を第二被連結具接続孔に挿入することで、第二挿入部の側面を上側の残存型枠パネルの背面にしっかり当接することができる。さらに、本発明に係る残存型枠パネル連結具は、湾曲した壁面にも使用できる。例えば、円柱状の壁面を構築する場合、隣接する右側の残存型枠パネルと左側の残存型枠パネルは、直線状に連結されず、隣りの残存型枠パネルに対し、傾けて、連結される。この場合でも、第一挿入部に対し、第二挿入部を回動させて、残存型枠パネルの傾きに対応させて、使用することができる。
このように、本発明に係る残存型枠パネル連結具は、縦方向（高さ方向）や横方向（幅方向、周方向）で連結する場合にも使用できるとともに、屈折多面体壁を構築する際に使用することもできる。
【００１４】
また、本発明に係る残存型枠パネル連結具は、第二挿入部が、残存型枠パネルに接触する側面と反対側の側面に第二楔部を有し、この第二楔部は、第二挿入部側から中間部側の方向に向けて幅が大きくなる第二傾斜部を有し、第二挿入部の側面に対する第二傾斜部の傾斜角は、３度から１０度の範囲である。そのため、第二挿入部の前記第二傾斜部が、隣接した残存型枠パネルの第二被連結具の所定の位置まで挿入されると、第二挿入部は、第二傾斜部を介して、第二被連結具と隣接した残存型枠パネルの背面との間で、第二被連結具の弾性撓み反力を受けることにより、隣接した残存型枠パネルの背面の所定の位置に緩みなく当接され、第一挿入部と同様に、残存型枠パネルの施工途中に生じる作業工具の振動や衝撃により、第二挿入部が前記第二被連結具内の所定の位置からずれることを回避できる。
このように、本発明の残存型枠パネル連結具の両側（第一挿入部と第二挿入部）に、傾斜部を有する楔部を設けることで、残存型枠パネル連結具がずれることをより確実に回避でき、屈折多面体壁を含む残存型枠壁を構築する作業効率が向上する。
【００１５】
本発明に係る残存型枠パネルの連結構造は、上記の残存型枠パネル連結具によって、隣接した残存型枠パネル（例えば、上下方向、左右方向において隣接した残存型枠パネル）が連結された構造であり、第一挿入部は、第一傾斜部を介して、第一被連結具と隣接した残存型枠パネルの背面との間で、第一被連結具の弾性撓み反力を受け、かつ、第二挿入部が、隣接した残存型枠パネルの第二被連結具に挿入されたことで形成される。
そのため、残存型枠パネルの施工途中に生じる作業工具による振動や衝撃等により、第一挿入部が第一被連結具内で緩み、残存型枠パネル連結具が接続不良となることが回避される。
【図面の簡単な説明】
【００１６】
【図１】本発明の実施形態に係る残存型枠パネル連結具を使用して連結される残存型枠パネルを示す図である。（ａ）は側面図（部分的に断面図）であり、（ｂ）は正面図である。
【図２】本発明の実施形態に係る残存型枠パネル連結具を示す図である。（ａ）は平面図であり、（ｂ）は楔部の部分拡大図である。
【図３】本発明の実施形態に係る残存型枠パネル連結具を示す図である。（ａ）は底部図であり、（ｂ）は残存型枠パネル連結具によって、残存型枠パネルを連結している状態を示す図である。
【図４】本発明の実施形態に係る残存型枠パネル連結具を、隣接する残存型枠パネルに嵌合する手順を説明するための図である。
【図５】本発明の実施形態に係る残存型枠パネル連結具が取り付けられた状態を示す図である。
【図６】本発明の実施形態に係る残存型枠パネル連結具を使用して構築される残存型枠壁を示す図である。
【図７】深礎杭（柱状構築体）に取り付けられた残存型枠パネル連結具を示す図である。
【図８】前方側が垂直で、壁厚が下に向かって増大するように後方側が傾斜したコンクリート擁壁に取り付けられた残存型枠パネル連結具を示す図である。
【図９】本発明の実施形態に係る残存型枠パネル連結具の変形例を示す図である。（ａ）は平面図、（ｂ）は楔部の部分拡大図である。
【図１０】従来の残存型枠パネル連結具を使用して、残存型枠パネルを積み重ねた際に生じる課題を説明するための図である。
【発明を実施するための形態】
【００１７】
本実施形態に係る残存型枠パネル連結具及び残存型枠パネル連結構造を、図１から図９を参照し説明する。本実施形態に係る残存型枠パネル連結具は、隣接する残存型枠パネル同士を連結する場合に使用され、具体的には、残存型枠パネルを積み重ねた際の上側の残存型枠パネルと下側の残存型枠パネルを連結する場合や、右側の残存型枠パネルと左側の残存型枠パネルを連結する際等に使用される。
【００１８】
残存型枠パネル１は、図１に示すように、パネル本体２と、第一被連結金具３と、第二被連結金具４を備えている。パネル本体２は、図１（ｂ）に示すように、矩形状であり、コンクリート等から構成されている。このパネル本体２には、例えば、高さ３００ｍｍ、幅９００ｍｍのサイズのものが使用される。パネル本体２の裏面（背面）２ａの上側左右の所定位置に第一被連結金具３、裏面２ａの下側左右の所定位置に第二被連結金具４がそれぞれ設けられている。第一被連結金具３及び第二被連結金具４は、鋼線からなる。第一被連結金具３は、パネル本体２の裏面２ａから突出するように設けられ、この第一被連結金具３には、第一被連結金具接続孔３ａが形成されている。同様に、第二被連結金具４は、パネル本体２の裏面２ａから突出するように設けられ、この第二被連結金具４には、第二被連結金具接続孔４ａが形成されている。
【００１９】
第一被連結金具接続孔３ａの直径及び第二被連結金具接続孔４ａの直径は、それぞれ２０ｍｍに設計されている。ここで、第一被連結金具接続孔３ａの直径とは、残存型枠パネル１の裏面２ａから残存型枠パネル連結具２０と第一被連結金具接続孔３ａとが接する位置までの距離をいい、第二被連結金具接続孔４ａの直径も同様である。また、パネル本体２の内部の左右方向及び上下方向には、パネル本体２の強度を確保するために、複数の鉄筋５が設けられている。
【００２０】
第一被連結金具３は、フック部６と、このフック部６の両端に連結された埋設部７とを備えている。第一被連結金具３は、埋設部７がパネル本体２の内部に埋め込まれ、フック部６をパネル本体２の裏面２ａから突出させ、パネル本体２に設けられる。この第一被連結金具３には、鋼製のものを使用でき、耐食性に優れた素材を使用することが好ましく、例えば、ステンレス鋼材（ＳＵＳ３０４）や亜鉛メッキ鋼等を使用できる。
第二被連結金具４は、第一被連結具３と同様な構成となっている。
この残存型枠パネル１は、残存型枠パネル１の長手方向が上下方向Ｙとなるような縦型、残存型枠パネル１の長手方向が左右方向Ｘとなるような横型で使用できる。残存型パネル１を縦型で使用する場合、第一被連結金具接続孔３ａ及び第二被連結金具接続孔４ａは左右方向に開口し、一方、残存型パネル１を横型で使用する場合、第一被連結金具接続孔３ａ及び第二被連結金具接続孔４ａは上下方向に開口している。
【００２１】
次に、本実施形態に係る残存型枠パネル連結具２０について説明する。
残存型枠パネル連結具２０は、図２に示すように、第一連結具片２１と、第二連結具片３１とが回動可能に接続されることで、構成されている。具体的には、第一連結具片２１と第二連結具片３１は、同じ形状であり、第二連結具片３１は、第一連結具片２１を１８０度反転させて、第一連結具片２１に接続されている。この残存型枠パネル連結具２０の長さＬは、約１８０ｍｍに設計されている。
【００２２】
第一連結具片２１は、板状であり、例えば、ステンレス鋼が使用される。そして、この第一連結具片２１は、第一挿入部２３と、第一挿入部２３と連結し、中間部を構成する第一接続部２４とを備えている。この第一接続部２４の先端には、支持具（セパレーター）１１を取り付けるために取付け孔２５が形成されている。取付け孔２５の直径は、約８ｍｍである。
【００２３】
第一挿入部２３には、楔部（第一楔部）２３ａが形成され、第一挿入部２３の一端側から第一接続部２４側に向けて幅が大きくなる傾斜部（第一傾斜部）２３ｂを有している。この傾斜部２３ｂの長さＬ２３ｂは１０ｍｍ、高さＨ２３ｂは１ｍｍに設計されている（図２（ｂ））。さらに、傾斜部２３ｂの第一挿入部２３の側面２３ｃに対する傾斜角度θ１は、３度から１０度の範囲に設計されている。この傾斜角度θ１は、３度から１０度が好ましく、５度から８度が最も好ましい。
【００２４】
第一挿入部２３の楔部２３ａよりも第一接続部２４側には、楔部２３ａとつながって形成されたストッパー部２３ｄが形成されている。このストッパー部２３ｄは、下側に傾斜部２３ｅを有する三角形状であり、その頂点が、前後方向Ｚの後方に突き出すように形成されている。この傾斜部２３ｅの高さは４ｍｍに設計されている。さらに、傾斜部２３ｅの傾斜角度θ２は、第一挿入部２３の側面２３ｃに対して、１５度以上で形成されている。また、第一挿入部２３の平坦部２３ｆの幅Ｗは、平坦部２３ｆの側部と第一被連結金具３との間に形成される隙間が０．１ｍｍから０．５ｍｍとなるように設計されている。
【００２５】
一方、第二連結具片３１は、第二挿入部３３と、第二挿入部３３と連結し、中間部を構成する第二接続部３４とを備えている。この第二接続部３４の先端には、支持具（セパレーター）１１を取り付けるために取付け孔３５が形成されている（図５）。
上述したように、第二連結具片３１は、第一連結具片２１を反転させたものであるため、同じ構成を有している。具体的には、第二連結具片３１の第二挿入部３３には、楔部（第二楔部）３３ａが形成され、第二挿入部３３の一端側から第二接続部３４側に向けて幅が大きくなる傾斜部（第二傾斜部）３３ｂを有し、楔部３３ａの第二接続部３４側には、楔部３３ａとつながって形成されたストッパー部３３ｄが形成され、このストッパー部３３ｄは、下側に傾斜部３３ｅを有する三角形状であり、その頂点が、前後方向Ｚの後方に突き出すように形成されている。傾斜部３３ｅの傾斜角度θ２は、第二挿入部３３の側面３３ｃに対して、１５度以上で形成され、第二挿入部３３の平坦部３３ｆの幅Ｗは、平坦部３３ｆの側部と第二被連結金具４との間に形成される隙間が０．１ｍｍから０．５ｍｍとなるように設計されている。そして、第一連結具片２１の第一接続部２４は、図３に示すように、第一挿入部２３に対してクランク状に折曲している。同様に、第二連結具片３１の接続部３４も、第二挿入部３３に対してクランク状に折曲している。
【００２６】
取付け孔２５と取付け孔３５とが重ね合うように、第一連結具片２１と第二連結具片３１とを重ね、取付け孔２５と取付け孔３５に、セパレータ１１の先端の直角折曲部を嵌め込み、ナット１１ａで締め付けることで、第一連結具片２１と第二連結具片３１は、回動可能に枢着される。
【００２７】
次に、本実施形態に係る残存型枠パネル連結具２０の使用方法について、説明する。
【００２８】
残存型枠パネル連結具２０は、図４（ａ）に示したように、一方の残存型枠パネル１に設けられている第一被連結金具３の第一被連結金具接続孔３ａに、左側から挿入される。第一挿入部２３を挿入した初期段階では、図４（ｂ）に示したように、平坦部２３ｆの側部と第一被連結金具３との間に形成される隙間が形成されており、抵抗なく挿入される。
なお、残存型枠パネル連結具２０の挿入方向は、残存型枠パネル１の配置によって決定され、右側から挿入してもよい。
【００２９】
第一挿入部２３の傾斜部２３ｂが、第一被連結金具接続孔３ａに挿入されると、傾斜部２３ｂと第一被連結金具３との間に形成される隙間が次第に狭くなり、図４（ｃ）に示すように、最終的には、所定の位置で、傾斜部２３ｂが第一被連結金具３と接し、上記の間隔はなくなる。
傾斜部２３ｂと第一被連結金具３とが接する位置まで差し込んだ後、第二挿入部３３は、支持具１１側に約９０度回転させ、第一接続部２４の端部を左側からハンマーで打撃し、第一挿入部２３を所定の位置まで押し込む。そうすると、第一挿入部２３は、図４（ｃ）及び図５に示すように、傾斜部２３ｂを介して、第一被連結具３と残存型枠パネル１の裏面２ａとの間で、第一被連結金具３の弾性撓み反力を受けることにより、一方の残存型枠パネル１の裏面２ａの所定の位置に緩みなく当接される。
なお、第二挿入部３３は、支持具１１側に回転させた状態で、第一挿入部２３を第一被連結金具接続孔３ａに取り付けてもよい。
【００３０】
第一挿入部２３が、残存型枠パネル１の裏面２ａの所定の位置に緩みなく当接された後、図６に示すように、左側から、他方の残存型枠パネル１を連結する。一方の残存型枠パネル１と他方の残存型枠パネル１によって、屈折多面体の残存型枠１０が構築される場合、第二連結具片３１は、図７に示すように、第二連結具片３１の側面が、他方の残存型枠パネル１の裏面２ａに、面接触するように、回動させ、第二挿入部３３が、他方の残存型枠パネル１に設けられた第二被連結金具４の第二被連結金具接続孔４ａに押し込まれる。そうすると、第二挿入部３３は、傾斜部３３ｂを介して、第二被連結具４と残存型枠パネル１の裏面２ａとの間で、第二被連結金具４の弾性撓み反力を受けることにより、他方の残存型枠パネル１の裏面２ａの所定の位置に緩みなく当接される。その後、支持具１１のＬ字状の端部を深礎杭（柱状構築体）１３に溶接し、固定することによって、残存型枠パネル連結具２０と深礎杭１３を連結する。
【００３１】
以上の操作を繰り返すことで、残存型枠パネル１を左右方向Ｘ（周方向）及び上下方向Ｙに残存型枠パネル１が固定され、深礎杭１３の前面に残存型枠１０を構築する。そして、残存型枠パネル１と深礎杭１３との間にコンクリート１２を打設し、コンクリート１２を硬化させる。
【００３２】
このように、本実施形態に係る残存型枠パネル連結具２０を使用した残存型枠パネルの連結構造が形成される。この残存型枠パネルの連結構造は、残存型枠パネル１が、裏面２ａの上側左右の所定位置に第一連結金具接続孔３ａが形成された第一被連結金具３、及び裏面２ａの下側左右の所定位置に第二被連結金具接続孔４ａが形成された第二被連結金具４を有し、第一挿入部２３は、少なくとも傾斜部２３ｂを介して、第一被連結金具３と一方の残存型枠パネル１の裏面２ａとの間で、第一被連結金具３の弾性撓み反力を受け、かつ、第二挿入部３３が他方の残存型枠パネル１の第二被連結金具４に挿入されたことで形成される（図７）。
【００３３】
次に、本実施形態に係る残存型枠パネル連結具２０の作用及び効果について説明する。
【００３４】
本実施形態に係る残存型枠パネル連結具２０は、第一挿入部２３の傾斜部２３ｂが一方の残存型枠パネル１の第一被連結金具３の所定の位置まで挿入されると、第一挿入部２３は、傾斜部２３ｂを介して、第一被連結金具３と一方の残存型枠パネル１の裏面２ａとの間で、第一被連結金具３の弾性撓み反力を受け、下側の残存型枠パネル１の裏面２ａの所定の位置に緩みなく確実に当接される。そうすると、残存型枠パネル１の施工途中に生じる作業工具の振動や衝撃等により、第一挿入部２３が第一被連結金具３内で緩み、所定の位置からずれたり、傾いたりすることを回避できる。
したがって、作業者は、修復作業を行う必要がなく、効率よく、残存型枠パネル１を連結及び積み上げることができる。
【００３５】
また、本実施形態に係る残存型枠パネル連結具２０では、楔部２３ａに傾斜部２３ｂを有し、第一挿入部２３の側面に対する傾斜部２３ｂの傾斜角度θ１を３度から１０度の範囲とすることで、残存型枠パネル連結具２０は、確実に第一被連結金具３内に確実に嵌合され、所定の位置からずれたり、傾いたりすることを回避することができる。
傾斜部２３ｂは、傾斜角度θ１が３度よりも小さく形成されている（例えばθ１が１度）と、楔の役割を果たさず、第一挿入部２３は、第一被連結金具接続孔３ａをすり抜けてしまい、傾斜部２３ｂを介して、第一被連結金具３と一方の残存型枠パネル１の裏面２ａとの間で、第一被連結金具３の弾性撓み反力を受けることはない。そうすると、第一挿入部２３を第一被連結金具３に嵌合することはできなくなり、残存型枠パネル連結具２０としての機能を果たさなくなる。
【００３６】
本実施形態に係る残存型枠パネル連結具２０において、傾斜部２３ｂの傾斜角度θ１が１０度よりも大きく形成されている（例えばθ１が３０度）と、ハンマーで残存型枠パネル連結具２０の頭部を打撃したときに一方の残存型枠パネル１の第一被連結金具３にしっかり嵌合されず、施工途中に生じる作業工具の振動や衝撃等によって、第一被連結金具３内で緩んでしまい、ずれたり、傾いたりするおそれがある。
【００３７】
本実施形態に係る残存型枠パネル連結具２０は、楔部２３ａ（楔部３３ａ）にストッパー部２３ｄ（３３ｄ）が形成されている。ストッパー部２３ｄが形成されていることで、仮に、第一挿入部２３が、楔部２３ａの傾斜部２３ｂの位置で、第一被連結金具３に当接されなかった場合でも、ストッパー部２３ｄによって、第一挿入部２３が第一被連結金具３から抜け落ちることを確実に回避できる。
【００３８】
また、本実施形態に係る残存型枠パネル連結具２０は、左右両側に楔部楔部２３ａ、３３ａ（傾斜部２３ｂ、３３ｂ）が形成されているため、残存型枠パネル連結具２０がずれることをより確実に回避でき、作業効率が向上する。
【００３９】
さらに、残存型枠パネル連結具２０は、第二連結具片３１を第一連結具片２１に対し、回動させることができる。そのため、屈折多面体壁を含む残存型枠１０を構築する際、一方の残存型枠パネル１に隣接して設けられる他方の残存型枠パネル１の配置に併せて、第二挿入部３３の側面を他方の残存型枠パネル１の裏面２ａに確実に当接させることができ、隣接する残存型枠パネル１同士をしっかり連結できる。
このように、本実施形態に係る残存型枠パネル連結具２０を使用することにより、屈折多面体壁を含む残存型枠１０を安定した状態で構築することができる。
【００４０】
本実実施形態に係る残存型枠パネル連結具２０は、湾曲した残存型枠１０を構築する場合以外にも、隣接する残存型枠パネル１の背面同士が同一平面に配置されない場合にも利用することができる。例えば、図８に示すように、前方側が垂直で、壁厚が下に向かって増大するように後方側が傾斜したコンクリート擁壁を構築する際にも使用できる。
前方側のように、残存型枠パネル１を垂直に積み重ねる場合、第二連結具片３１は、第一連結具片２１に対して、回動させずに使用する。一方、後方側のように、上側のパネルを、下側のパネルに対して、傾斜させて積み重ねる場合、第二連結具片３１を、第一連結具片２１に対して、回動させ、第二連結具片３１の側面をパネルに確実に面接触させることができる。隣接するパネル同士を傾斜させて積み重ねる箇所は少なく、さらに、傾斜させる角度は施工現場ごとに異なる。そのため、本実施形態に係る残存型枠パネル連結具２０のように、隣接するパネル同士の状態に応じて、第二連結具片３１を回動させることができるため、価値が高い。
【００４１】
以上、本実施形態について説明したが、これ以外にも、本発明の主旨を逸脱しない限り、上記実施の形態で挙げた構成を取捨選択したり、他の構成に適宜変更することが可能である。
残存型枠パネル連結具２０のストッパー部２３ｄは、残存型枠パネル連結具２０が第一被連結金具３から抜け落ちてしまうことを回避できる形状であれば、本実施形態で示した形状に限定されない。例えば、このストッパー部２３ｄは、図９に示したように、第一挿入部２３の平坦部２３ｆに対し、略垂直に後方に突出している形状とすることができる。
【００４２】
また、残存型枠パネル連結具２０（各部）のサイズや第一連結金具３の直径、第二連結金具４の直径は、本実施形態で示したものに限定されず、適宜変更することができる。
【符号の説明】
【００４３】
１      残存型枠パネル
２      パネル本体
２ａ    裏面（背面）
３      第一被連結金具
３ａ    第一被連結金具接続孔
４      第二被連結金具
４ａ    第二被連結金具接続孔
５      鉄筋
６      フック部
７      埋設部
１０    残存型枠
１１    支持具（セパレーター）
１１ａ  ナット
１２    コンクリート
１３    深礎杭（柱状構築体）
２０    残存型枠パネル連結具
２１    第一連結具片
２３    第一挿入部
２３ａ  楔部（第一楔部）
２３ｂ  傾斜部
２３ｃ  側面
２３ｄ  ストッパー部
２３ｅ  傾斜部
２３ｆ  平坦部
２４    第一接続部（中間部）
２５    取付け孔
３１    第二連結具片
３３    第二挿入部
３３ａ  楔部（第二楔部）
３３ｂ  傾斜部
３３ｃ  側面
３３ｄ  ストッパー部
３３ｅ  傾斜部
３３ｆ  平坦部
３４    第二接続部（中間部）
３５    取付け孔
１００  上側の残存型枠パネル
１０１  下側の残存型枠パネル
１０２  被連結金具
１０３  残存型枠パネル連結具
１０４  下側挿入部
１０５  上側挿入部
１０６  被連結金具
θ１、θ２  傾斜角度
Ｌ２３ｂ  長さ
Ｈ２３ｂ  高さ
Ｌ      長さ
Ｗ      幅
Ｘ      左右方向
Ｙ      上下方向
Ｚ      前後方向
【要約】      （修正有）【課題】残存型枠パネルの施工途中に生じる作業工具の振動や衝撃によりパネル連結具の接続不良が生じることを回避できる残存型枠パネル連結具を提供する。【解決手段】残存型枠パネル連結具２０は、残存型枠パネル１によって、屈折多面体壁を構築する際に使用するものであって、第一楔部を有する第一挿入部２３と、第一挿入部２３とつながる中間部と、中間部に回動可能に接続された第二挿入部３３と、を備え、第一楔部は第一傾斜部２３ｂを有し、この第一傾斜部２３ｂの傾斜角は３度から１０度の範囲であり、第一傾斜部２３ｂが、残存型枠パネル１の第一被連結具３の所定の位置まで挿入されると、第一挿入部２３は、第一傾斜部２３ｂを介して、第一被連結金具３と残存型枠パネル１の背面２ａとの間で、第一被連結金具３の弾性撓み反力を受けることにより、残存型枠パネル１の背面２ａの所定の位置に緩みなく当接される。【選択図】図７【図１】
0006862599.tif 000002
【図２】
0006862599.tif 000003
【図３】
0006862599.tif 000004
【図４】
0006862599.tif 000005
【図５】
0006862599.tif 000006
【図６】
0006862599.tif 000007
【図７】
0006862599.tif 000008
【図８】
0006862599.tif 000009
【図９】
0006862599.tif 000010
【図１０】
0006862599.tif 000011